(57)【特許請求の範囲】
【請求項１】
液晶表示素子からなる表示パネルと、この表示パネルを保持するホルダーと、このホルダーの背後側に配設され前記表示パネル側と電気的に接続される回路基板と、前記表示パネル上に位置し、前記ホルダーに固定される導電性の枠状フレームと、を備えた表示装置において、前記ホルダーに設けられる誘い込み部と、前記誘い込み部と対応する位置に前記枠状フレームから一体に設けられ、前記回路基板に設けられたグランドラインに接続される通電用腕片と、前記枠状フレームに設けられ前記通電用腕片より短い長さを有する複数の固定用腕片と、前記ホルダーに前記固定用腕片と対応する位置に設けられる複数の固定部と、を備えてなることを特徴とする表示装置。
【請求項２】
前記誘い込み部は案内壁部からなることを特徴とする請求項１に記載の表示装置。
【請求項３】
前記固定用腕片が前記固定部に係脱可能に設けられていることを特徴とする請求項１に記載の表示装置。
【発明の詳細な説明】
【技術分野】
【０００１】
本発明は、表示装置の実装構造に関し、特に液晶表示素子からなる表示パネルを用いた表示装置の組み付け構造に関するものである。
【背景技術】
【０００２】
この種の表示装置として、たとえば表示パネルとして液晶表示素子を用いた表示装置が広く知られている。かかる表示装置の多くは、ライトボックスと称されるホルダー（ケース）を通じて液晶表示パネルが支持されるとともに、ホルダーの背後側に回路基板が配設されて支持され、回路基板に装着した光源（ＬＥＤ）にて表示パネルがバックライト照明される。また液晶表示素子からなる表示パネルと回路基板とは、表示パネルに設けられた電極端子と回路基板に設けられた回路パターンとが適宜接続部材にて導通接続され、回路基板を通じて表示パネルに駆動信号を供給し、表示パネルに所定の表示を行わせるように構成している（特許文献１参照）。
【０００３】
また、液晶表示素子による表示装置は、低消費電力型という特徴の他に、表示装置全体の小型化、薄型化を指向するうえで有効な表示要素であり、回路基板を含む表示ユニットは合成樹脂製のホルダーの収納空間に有効に配設される必要がある。このため、回路基板の配設位置によっては、導電パターン部分が基板の端部にまで引き回し形成される場合が有り、こうした収納構造にあっては高絶縁物である合成樹脂製のホルダーに静電気が発生し、その帯電による電圧が高くなったときには、近接する導電部材、この場合にあっては、たとえば回路基板の導電パターン箇所などに放電現象が生じ、回路基板の導電パターンを通してかなりの高電圧が加わるため、電子部品であるＭＯＳ型ＩＣなどのゲートが破壊される現象が発生し、電気回路が不良状態に陥り、使用不可能となってしまうという問題が生じることがある。また、こうした現象が発生すると液晶表示パネルの表示の一部あるいは全部が消えてしまうことがあり、あるいは予期せぬ誤表示を生じてしまう虞があり、その表示情報を把握できずあるいは誤読を生じさせてしまうという問題がある。さらに液晶表示パネルそのものも、静電気による電界によって液晶表示パネルのガラス基板の両側に電荷の移動を生じさせ、かつこの電荷が液晶表示パネルの透明電極や絶縁抵抗の少ない箇所に集まり、ガラス基板間の静電気が液晶励起に充分な大きさで安定してしまうため、液晶表示パネルが意味のない誤表示することもある。
【０００４】
また、このこのような静電気の問題点を考慮するものとして、たとえば特許文献２などに開示されるように、金属製の材料からなる枠状のフレームによって液晶表示パネルの前面側から被せ、金属製のフレームの所要箇所に複数設けられた略Ｌ字状の固定爪を回路基板の固定孔（爪孔）に差し込んでそれぞれ折り曲げることにより回路基板のグランドラインに接地すると同時に液晶表示パネルの組付けをも金属製のフレームによって固定保持するようにしている。
【特許文献１】特開２００６−２２１０１７号公報
【特許文献２】特開平５−１８８３８８号公報
【発明の開示】
【発明が解決しようとする課題】
【０００５】
しかしながら、前述した特許文献２などにあっては、静電気による電子部品の保護あるいは液晶表示パネルの誤表示などは解消されるものの、ホルダー（ケース）に設けたＬ字状の係止爪を回路基板に差し込んでその先端を折り曲げることにより固定するため、組み付け時に係止爪の先端部をそれぞれ折り曲げて固定保持する必要があり、組み付け作業の効率が悪いという問題が残されている。
【０００６】
本発明は前述した問題点に着目し、液晶表示パネルを固定保持するホルダー（ケース）に対し液晶表示パネルの組み付けとともに液晶表示パネルの静電気対策を施すことのできる表示装置を提供することを目的とする。
【課題を解決するための手段】
【０００７】
本発明は前述した課題を解決するため、請求項１では、液晶表示素子からなる表示パネルと、この表示パネルを保持するホルダーと、このホルダーの背後側に配設され前記表示パネル側と電気的に接続される回路基板と、前記表示パネル上に位置し、前記ホルダーに固定される導電性の枠状フレームと、を備えた表示装置において、前記ホルダーに設けられる誘い込み部と、前記誘い込み部と対応する位置に前記枠状フレームから一体に設けられ、前記回路基板に設けられたグランドラインに接続される通電用腕片と、前記枠状フレームに設けられ前記通電用腕片より短い長さを有する複数の固定用腕片と、前記ホルダーに前記固定用腕片に対応するように設けられる複数の固定部と、を備えてなることを特徴とする表示装置である。このように構成することにより、枠状フレームの組み付け時において、導電性の枠状フレームに設けられた通電用腕片がホルダーに設けられた誘い込み部に案内ガイドされて送り込まれ、枠状フレームの通電用腕片が誘い込み部によって案内ガイドされつつ枠状フレームに設けられた固定用腕片がホルダーに設けられた固定部に係合保持されることにより表示装置の組み付けを簡便に行うことができる。また、これと同時に通電用腕片と回路基板に設けられたグランドラインとの接地によって液晶表示素子からなる表示パネル側に静電気が帯電することを予防することができ、静電気の帯電による表示欠落や誤表示の発生を未然に防ぐことができる。
【０００８】
また請求項２では、請求項１に記載の表示装置において、前記誘い込み部は案内壁部からなることを特徴とするものである。このように構成することにより、枠状フレームに設けた通電用腕片を誘い込み部の案内壁部に沿って最初に送り込むことができるため、続いて複数個の固定用腕片をホルダーに設けた複数個の固定部に沿ってそれぞれ容易に組み付けすることができる。
【０００９】
また請求項３では、請求項１に記載の表示装置において、前記固定用腕片が前記固定部に係脱可能に設けられていることを特徴とするものである。このように構成することにより、組み付けが容易であり、また部品交換などの作業時においても簡単に取り外し・組み付けを行うことができる。
【発明の効果】
【００１０】
本発明では、液晶表示素子からなる表示パネルと、この表示パネルを保持するホルダーと、このホルダーの背後側に配設され前記表示パネル側と電気的に接続される回路基板と、前記表示パネル上に位置し、前記ホルダーに固定される導電性の枠状フレームと、を備えた表示装置において、前記ホルダーに設けられる誘い込み部と、前記誘い込み部と対応する位置に前記枠状フレームから一体に設けられ、前記回路基板に設けられたグランドラインに接続される通電用腕片と、前記枠状フレームに設けられ前記通電用腕片より短い長さを有する複数の固定用腕片と、前記ホルダーに前記固定用腕片に対応するように設けられる複数の固定部と、を備え、前記枠状フレームの組み付けに際し前記固定用腕片が前記固定部に係合する前に、前記通電用腕片が前記誘い部に案内ガイドされる構成となっていることを特徴とする表示装置である。このように構成することにより、枠状フレームの組み付け時において、導電性の枠状フレームに設けられた通電用腕片がホルダーに設けられた誘い込み部に案内ガイドされて送り込まれ、枠状フレームの通電用腕片が誘い込み部によって案内ガイドされつつ枠状フレームに設けられた固定用腕片がホルダーに設けられた固定部に係合保持されることにより表示装置の組み付けを簡便に行うことができる。また、これと同時に通電用腕片と回路基板に設けられたグランドラインとの接地によって液晶表示素子からなる表示パネル側に静電気が帯電することを予防することができ、静電気の帯電による表示欠落や誤表示の発生を未然に防ぐことができるものであり、これにより所期の目的を達成することができる。
【発明を実施するための最良の形態】
【００１１】
本発明の対象とする表示装置として、車両用の表示装置を例にして詳述する。以下本発明の実施例を添付図面に基づいて説明する。
【実施例１】
【００１２】
図１から図１０は本発明の第１実施例を示すもので、図１は液晶表示素子からなる表示パネルを用いた表示装置の全体の分解斜視図であり、図２は、図１の表示装置の組み付け状態を示したＡ−Ａ線断面図であり、図３は、図１の表示装置の組み付け状態を示したＢ−Ｂ線断面図であり、図４は、図１の表示装置の組み付け状態を示したＣ−Ｃ線断面図であり、図５は、図１の表示装置の組み付け状態を示したＤ−Ｄ線断面図であり、図６は、図１の表示装置の組み付け状態を示したＥ−Ｅ線断面図であり、図７，図８，図９（Ａ）（Ｂ）の各図は、図１のＢ−Ｂ線位置から見たホルダーに対する枠状フレームの組み付け状態を示す要部の各断面図であり、図１０の（Ａ）から（Ｅ）は、図１の側面側から見たホルダーに対する枠状フレームの組み付け状態を示す各側面図である。
【００１３】
同図において、第１実施例における表示装置は、透過型の液晶表示素子からなる矩形状の表示パネル１と、この表示パネル１の裏面側に配置され光透過性を有する拡散板２と、表示パネル１および拡散板２が支持される合成樹脂材料からなるホルダー３と、表示パネル１の背後に配置された硬質の回路基板４と、この回路基板４上に実装され液晶表示素子からなる表示パネル１を背後から照明する発光ダイオードによる光源５を備えている。また表示パネル１側と回路基板４側とを電気的に接続する可撓性の配線板であるフレキシブル配線板６が設けられている。
【００１４】
また、表示パネル１の前面側には表示パネル１の周縁を覆う枠状の縁部を有する金属製の導電性材料からなる枠状フレーム７が設けられている。
【００１５】
また、表示装置にはホルダー３の周面部分と底面部分を被いつつ、回路基板４の裏面側およびフレキシブル配線板６を被いながら保護するための合成樹脂製のアンダーカバー８がホルダー３の下側から嵌め込みながら固定保持することができるように設けられている。
【００１６】
表示装置における表示パネル１は、たとえば一対のガラス基板間に液晶分子を封入した液晶表示素子からなり、その端部にはフレキシブル配線板６と導通接続される複数の電極端子（図示せず）が設けられている。
【００１７】
ホルダー３は白色の合成樹脂からなり、底壁３０と、その底壁３０から連続して設けられる側周壁３１と、側周壁３１の上端側にて水平方向に延びて表示パネル１および拡散板２が載置される載置部３２が設けられている。また載置部３２の適所には拡散板２を位置決め保持するための位置決めピン３３が設けられている。この位置決めピン３３の位置に合わせて拡散板２には、その周縁部から部分的に突出し、固定支持される位置決め孔２０が設けられている。
【００１８】
またホルダー３の載置部３２から奥まった位置において、たとえば白色で発光する発光ダイオードからなる光源５が点灯すると、光源５側からの照射光がホルダー３内へと導かれて発光し、これらの光が拡散板２で拡散されて、たとえば表示部（図示せず）を除いた表示パネル１をほぼ均一に照明するようになっている。なお、満足する照明が得られないようであれば、拡散板２の背後、すなわち拡散板２と光源５との間に導光板（図示せず）を配設するようにしても良い。
【００１９】
回路基板４は、たとえばガラスエポキシ系材料からなる硬質の基板で形成されており、その所定箇所にはフレキシブル配線板６を介して表示パネル１の各電極端子（図示せず）と導通接続される。この際、表示パネル１に駆動信号を供給する複数の回路パターン４０が回路基板４上に設けられており、回路基板４上の回路パターン４０上に電子部品４１が実装されている。また回路基板４から引き出し形成された複数の電極端子（図示せず）と回路基板４に実装されたコネクタ４２とを電気的に接続し、コネクタ４２を介してフレキシブル配線板６の電極端子（図示せず）と接続するように構成している。また回路基板４の裏面側には外部へと電気的に引き回し形成するための外部接続用コネクタ４３が設けられている。さらに回路基板４上には静電気を放電するためのグランドライン４４が引き回し形成されている。
【００２０】
表示パネル１を背後から照明する発光ダイオードからなる光源５は、ホルダー３の内部側にて複数個の光源５がほぼ等間隔にて配置されており、この光源５は回路基板４の回路パターン４０上に実装されている。この際、光源５はホルダー３の底壁３０に設けられた開口穴部３０Ａから表示パネル１，拡散板２を臨むように配置されている。
【００２１】
フレキシブル配線板６は、合成樹脂製の樹脂フィルムに所望の導電回路パターンを形成したものであり、この場合、表示パネル１に設けられた図示しない電極端子と回路基板４に設けられた回路パターン４０とが適宜接続部材にて導通接続され、回路基板４を通じて表示パネル１に駆動信号を供給し、表示パネル１に所定の表示を行わせるようになっている。
【００２２】
ところで、この第１実施例にあっては、ホルダー３を基準として、液晶表示素子からなる表示パネル１，回路基板４，枠状フレーム７などを実装する構造として以下の構成を採用している。
【００２３】
合成樹脂製のホルダー３の側周壁３１の外面箇所の適所には、固定部である断面形状が三角形からなる係合部３４が一体に突き出し形成されるとともに、ホルダー３の側周壁３１の上端側から奥行き方向に向けて枠状の案内壁部からなる誘い込み部３５が形成されている。
【００２４】
また導電性の枠状フレーム７には、ホルダー３の誘い込み部３５と対応する位置に回路基板４に設けられた導電路からなるグランドライン４４に接続される通電用腕片７０が一体に切り起こし形成されるとともに、ホルダー３の側周壁３１外面箇所に設けられたそれぞれの固定部となる係合部３４と係合固定される略コ字形状からなる固定用腕片７１が枠状フレーム７から一体に切り起こし形成されている。この際、枠状フレーム７の上端面側の取付面を基準にして切り起こされて形成された通電用腕片７０の長さを固定用腕片７１の長さよりも長く設定している。〔図１，図７〜図１０参照〕
【００２５】
また通電用腕片７０の先端側には、両端側に切れ込みを設けて折り曲げやすくした折り曲げ部７０Ａが設けられるとともに、回路基板４のグランドライン４４と電気的に接続するための開口孔７０Ｂが設けられ、この開口孔７０Ｂを介してたとえば固定用部材であるネジＳによって回路基板４のグランドライン４４に設けた通電用固定孔４４Ａを挿通しつつホルダー３側に螺着固定することにより通電を果たすように構成している。〔図１，図３，図７〜図１０参照〕
【００２６】
なおホルダー３に対して回路基板４を組み付け易くするために、回路基板４の適所に位置決め孔４５が設けられており、この位置決め孔４５と対向するホルダー３側には、ピン状のガイド部材３６が一体に突き出し形成されるとともに、回路基板４の外周縁部箇所と係合する係合部材である弾性を有する係合爪片３７がホルダー３から一体に設けられている。〔図１，図５，図６参照〕
【００２７】
また回路基板４の裏面側およびフレキシブル配線板６を被いながら保護するための合成樹脂製のアンダーカバー８はホルダー３の下側から嵌め込みながら固定保持することができるように設けられているが、この実施例にあっては、ホルダー３に設けられた係合爪部３８に対してアンダーカバー８に切り欠き孔からなる係止穴部８０が設けられ、アンダーカバー８の係止穴部８０にホルダー３の係合爪部３８が着脱可能に嵌め込み固定されている。〔図１，図４参照〕
【００２８】
第１実施例における表示装置は、以下のように組み付けられる。ホルダー３の前面側においては、ホルダー３の載置部３２上に拡散板２と予めフレキシブル配線板６が導通接続された表示パネル１を載せ、次に導電性の枠状フレーム７を表示パネル１の上側からホルダー３に被せ、ホルダー３に設けた固定部である断面形状が三角形の係合部３４に対して枠状フレーム７から切り起こし形成された固定用腕片７１が嵌め込み固定されることにより表示パネル１が固定保持される。
【００２９】
この組み付け時において、拡散板２はホルダー３の位置決めピン３３を目安にして拡散板２の位置決め孔２０を沿わせて送り込むことにより位置合わせしながら簡単に組み付け保持することができる。
【００３０】
また、枠状フレーム７は、枠状フレーム７の組み付け時において、導電性の枠状フレーム７に設けられた通電用腕片７０がホルダー３に設けられた枠状の案内壁部からなる誘い込み部３５に案内ガイドされて送り込まれ、枠状フレーム７の通電用腕片７０が誘い込み部３５によって案内ガイドされつつ枠状フレーム７に設けられた固定用腕片７１がホルダー３に設けられた固定部となる係合部３４に係合保持されることにより表示装置の組み付けを簡便に行うことができる。
【００３１】
この際、枠状フレーム７の上端面側の取付面を基準にして切り起こされて形成された通電用腕片７０の長さを固定用腕片７１の長さよりも長く設定しているため、枠状フレーム７の組み付けに際し、枠状フレーム７に形成された固定用腕片７１の先端部がホルダー３に形成された係合部３４に係合する前に、枠状フレーム７に形成された通電用腕片７０がホルダー３に形成された誘い込み部３５の内壁面に沿って案内ガイドされる。〔図７，図８，図１０参照〕
そして、誘い込み部３５に沿って通電用腕片７０が誘い込み部３５の奥行き方向に沿って位置合わせされながら送り込まれる途上において、固定用腕片７１が固定部である係合部３４に向けて送り込まれることによって簡単に嵌め込み固定することができる。〔図８，図１０（Ｂ）〕
【００３２】
なお、たとえば表示パネル１の部品交換などの際においては、係合部３４に係合保持されている固定用腕片７１の係合状態を外すことによって枠状フレーム７を取り外すことができ、実装されている部品の交換も簡単に行うことが可能となる。
【００３３】
また第１の実施例における表示装置においては、ホルダー３に対し枠状フレーム７を取付固定した後に、図９（Ａ），図１０（Ｄ）に示すように通電用腕片７０の先端側の折り曲げ部７０Ａを折り曲げ形成し、通電用腕片７０の先端側に設けられた開口孔７０Ｂを介してネジＳによって回路基板４のグランドライン４４に設けた通電用固定孔４４Ａを挿通してホルダー３側に螺着することにより電気的な通電が果たせるものとなり、〔図３，図９（Ｂ），図１０（Ｅ）など参照〕これにより通電用腕片７０と回路基板４に設けられたグランドライン４４との接地によって液晶表示素子からなる表示パネル１側に静電気が帯電することを予防することができ、静電気の帯電による表示欠落や誤表示の発生を未然に防ぐことができる。
【００３４】
また通電用腕片７０と回路基板４に設けられたグランドライン４４との接地によって静電気の帯電現象をグランドライン４４へと放電することができるため、回路基板４上に実装された電子部品４１の破壊を未然に防ぐことができる。
【実施例２】
【００３５】
図１１から図１３は本発明の表示装置の第２実施例を示すもので、図１１は液晶表示素子からなる透過表示パネルを用いた表示装置の概要を示す分解斜視図であり、図１２は、図１１のホルダーに対する枠状フレームの組み付け状態を示すもので、図１２（Ａ）はホルダーに対し枠状フレームを組み付けた状態を示す断面図であり、図１２（Ｂ）はホルダーに対し枠状フレームの組み付け前の状態を示す断面図であり、図１３（Ａ）（Ｂ）（Ｃ）は、図１１の側面側から見たホルダーに対する枠状フレームの組み付け状態を示す各側面図であり、前述した第１の実施例と同一部分、均等部分については同一符号を付して説明する。
【００３６】
同図において、ここでは前述した第１実施例と同様にして、透過型の液晶表示素子からなる矩形状の表示パネル１と、この表示パネル１の裏面側に配置され光透過性を有する拡散板２と、表示パネル１および拡散板２が支持される合成樹脂材料からなるホルダー３と、表示パネル１の背後に配置された硬質の回路基板４と、この回路基板４上に実装され液晶表示素子からなる表示パネル１を背後から照明する発光ダイオードによる光源５を備えている。また表示パネル１側と回路基板４側とを電気的に接続する可撓性の配線板であるフレキシブル配線板６が設けられており、表示パネル１の前面側には表示パネル１の周縁を覆う枠状の縁部を有する金属製の導電性材料からなる枠状フレーム７が設けられている。
【００３７】
ところで、この第２実施例にあっては、合成樹脂製のホルダー３の側周壁３１の外面箇所に適所には、固定部である断面形状が三角形からなる係合部３４が一体に突き出し形成されるとともに、ホルダー３の側周壁３１の上端側から奥行き方向に向けてコ字状の凹み部による案内壁部からなる誘い込み部３５Ａが形成されている。〔図１１，図１２などを参照〕
【００３８】
また導電性の枠状フレーム７には、ホルダー３の誘い込み部３５Ａと対応する位置に回路基板４に設けられた導電路からなるグランドライン４４側に接続される通電用腕片７０が一体に切り起こし形成されるとともに、ホルダー３の側周壁３１外面箇所に設けられたそれぞれの固定部となる係合部３４と係合固定される略コ字形状からなる固定用腕片７１が枠状フレーム７から一体に切り起こし形成されている。この際、枠状フレーム７の上端側の取付面を基準にして切り起こされて形成された通電用腕片７０の長さは固定用腕片７１の長さよりも長く設定している。〔図１１，図１２（Ｂ），図１３を参照〕
【００３９】
また通電用腕片７０の先端側には、グランドライン４４側との接触面積を広く設定するために先端部を折り曲げ形成した通電用接触片７０Ｃが設けられており、この通電用接触片７０Ｃと対向する回路基板４のグランドライン４４上には通電のための金属製材料からなる弾性部材４４Ｂがたとえば半田付けなどの手段によって接続されている。〔図１１〜図１３を参照〕
【００４０】
このように構成してなる第２実施例による表示装置においては、枠状フレーム７の組み付け時において、導電性の枠状フレーム７に設けられた通電用腕片７０がホルダー３に設けられたコ字状の凹み部による案内壁部からなる誘い込み部３５Ａによって案内ガイドされて送り込まれ、枠状フレーム７の通電用腕片７０が誘い込み部３５Ａによって案内ガイドされつつ枠状フレーム７に設けられた固定用腕片７１がホルダー３に設けられた固定部となる係合部３４に係合保持されることにより表示装置の組付けを簡便に行うことができる。
【００４１】
この際、前述した第１実施例とほぼ同様にして枠状フレーム７の上端面側の取付面を基準にして切り起こし形成された通電用腕片７０の長さを固定用腕片７１の長さよりも長く設定しているため、枠状フレーム７の組み付けに際し、枠状フレーム７に形成された固定用腕片７１の先端部がホルダー３に形成された係合部３４に係合する前に、枠状フレーム７に形成された通電用腕片７０がホルダー３に形成されたコ字状凹み部からなる誘い込み部３５Ａの内壁面に沿って案内ガイドされる。〔図１１，図１３（Ｂ）などを参照〕そして、誘い込み部３５Ａに沿って通電用腕片７０が誘い込み部３５Ａの奥行き方向に沿って位置合わせされながら送り込まれる途上において、固定用腕片７１が固定部である係合部３４に向けて送り込まれることによって簡単に嵌め込み固定することができる。
【００４２】
また第２実施例における表示装置においては、ホルダー３に対し、枠状フレーム７を組み付け固定すると同時に、通電用腕片７０の先端部に設けた通電用接触片７０Ｃが回路基板４上のグランドライン４４に設けられた弾性部材４４Ｂを押圧しつつ接触保持することによって、電気的な通電が果たせるものとなる。〔図１２（Ａ），図１３（Ｃ）を参照〕これにより通電用腕片７０と回路基板４に設けられたグランドライン４４との接地によって液晶表示素子からなる表示パネル１側に静電気が帯電することを防止することができ、静電気の帯電による表示欠落や誤表示の発生を未然に防ぐことができる。加えて、通電用腕片７０の先端部に設けた通電用接触片７０Ｃと回路基板４に設けられたグランドライン４４上の弾性部材４４Ｂとの接地によって静電気の帯電現象をグランドライン４４側へと放電することができるため、回路基板４上に実装された電子部品４１の破壊を未然に防ぐことができる。
【００４３】
なお本発明は、前述した実施例に限定されるものではなく本発明の要旨の範囲内において種々の変形実施が可能である。たとえば、各実施例においては、枠状フレーム７から一体に切り起こし形成される通電用腕片７０を一箇所に設けるのみであったが、場合によってはそれぞれ対向する枠状の辺から一体に通電用腕片７０を切り起こし形成し、組み付け時における案内ガイド機能として構成しても良いものであり、また第１実施例においては通電用腕片７０の先端部を固定用部材であるネジＳにてグランドライン４４に螺着固定することによって通電を果たすようにしたり、また第２実施例においてはグランドライン４４上に設けた弾性部材４４Ｂに通電用腕片７０の先端に設けた通電用接触片７０Ｃを押圧付勢することによって通電を果たすように構成していたが、回路基板４上のグランドライン４４と通電用腕片７０とを半田付け固定するようにしても良いものである。この際、枠状フレーム７に設けられた通電用腕片７０はホルダー３との固定のための固定用腕片７１の長さよりも長く形成することによってホルダー３に対して誘い込み機能を果たすことができ、これにより表示装置の組み付けを容易に行うことができるものである。また表示パネル１と回路基板４との電気的な接続手段として、本実施形態ではフレキシブル配線板６を用いていたが、たとえばラバーコネクタ（導電ゴム）を適用しても良いものである。またホルダー３側と枠状フレーム７側とを係脱可能（着脱可能）に設ける手段として略コ字形状からなる固定用腕片７１と固定部である断面形状が三角形からなる係合部３４との構造を採用していたが、固定用腕片７１の板厚寸法を任意に設定することで弾力性を持たせて係脱操作を容易にすることができるように構成したり、係合部３４を支える箇所に弾力性を持たせることによって係脱操作が簡便に行えるように構成したりすることによって操作性をさらに高めることもできる。
【図面の簡単な説明】
【００４４】
【図１】図１は、本発明の第１実施例である液晶表示素子からなる表示パネルを用いた表示装置全体を示す分解斜視図である。
【図２】図２は、図１の表示装置の組み付け状態を示すＡ−Ａ線断面図である。
【図３】図３は、図１の表示装置の組み付け状態を示すＢ−Ｂ線断面図である。
【図４】図４は、図１の表示装置の組み付け状態を示すＣ−Ｃ線断面図である。
【図５】図５は、図１の表示装置の組み付け状態を示すＤ−Ｄ線断面図である。
【図６】図６は、図１の表示装置の組み付け状態を示すＥ−Ｅ線断面図である。
【図７】図７は、図１のＢ−Ｂ線位置から見たホルダーに対する枠状フレームの組み付け前の状態を示す要部の断面図である。
【図８】図８は、図７における枠状フレームをホルダーに向けて組み付け途中の段階を示す要部の断面図である。
【図９】図９（Ａ）（Ｂ）は、図８の枠状フレームをホルダー側に向けてセットした段階を示す要部の断面図と、固定用部材にて組み付けが完了した状態を示す要部の断面図である。
【図１０】図１０（Ａ）から（Ｅ）は、図１の側面側から見たホルダーに対する枠状フレームの組み付け段階を示す各側面図である。
【図１１】図１１は、本発明の第２実施例である液晶表示素子からなる表示パネルを用いた表示装置の主要部を示す分解斜視図である。
【図１２】図１２は、図１１のホルダーに対する枠状フレームの組み付け状態を示すもので、図１２（Ａ）はホルダーに対し枠状フレームを組み付けた状態を示す断面図であり、図１２（Ｂ）はホルダーに対し枠状フレームの組み付け前の状態を示す断面図である。
【図１３】図１３（Ａ）（Ｂ）（Ｃ）は、図１１の表示装置の組み付け前、組み付け途中、組み付け後の各段階を示す側面図である。
【符号の説明】
【００４５】
１    表示パネル
２    拡散板
３    ホルダー
４    回路基板
５    光源（発光ダイオード）
６    フレキシブル配線板
７    枠状フレーム
８    アンダーカバー
２０    位置決め孔
３０    底壁
３０Ａ    開口穴部
３１    側周壁
３２    載置部
３３    位置決めピン
３４    係合部
３５，３５Ａ    誘い込み部
３６    ガイド部材
３７    係合爪片
３８    係合爪部
４０    回路パターン
４１    電子部品
４２    コネクタ
４３    外部接続用コネクタ
４４    グランドライン
４４Ａ    通電用固定孔
４４Ｂ    弾性部材
４５    位置決め孔  
７０    通電用腕片
７０Ａ    折り曲げ部
７０Ｂ    開口孔
７０Ｃ    通電用接触片
７１    固定用腕片
８０    係止穴部
Ｓ    ネジ
【図１】
0005141962.tif 000002
【図２】
0005141962.tif 000003
【図３】
0005141962.tif 000004
【図４】
0005141962.tif 000005
【図５】
0005141962.tif 000006
【図６】
0005141962.tif 000007
【図７】
0005141962.tif 000008
【図８】
0005141962.tif 000009
【図９】
0005141962.tif 000010
【図１０】
0005141962.tif 000011
【図１１】
0005141962.tif 000012
【図１２】
0005141962.tif 000013
【図１３】
0005141962.tif 000014